(57)【特許請求の範囲】
【請求項１】
フード部を有する雄側コネクタハウジングと、この雄側コネクタハウジングの外面に軸支されるレバーと、前記フード部内において雄端子金具を位置決めするムービングプレートと、前記フード部に嵌合される雌側コネクタハウジングとを備えてなり、前記ムービングプレートの周壁のカムピンと、前記周壁の切欠部を通過させた前記雌側コネクタハウジングのカムピンとを合体させてカムフォロアを形成し、前記フード部の逃がし溝を通過させた前記カムフォロアを前記レバーのカム溝に係合させた状態で前記レバーを回動させることにより、前記雌側コネクタハウジングが前記ムービングプレートと一体になって移動しつつ前記雄側コネクタハウジングに嵌合されるようにしたレバー式コネクタにおいて、
前記フード部の内面に、前記逃がし溝に沿って前記ムービングプレートの移動方向と平行に延びるリブが形成されているとともに、
前記ムービングプレートの周壁に、前記リブに沿って延び且つ前記リブに対応して内側へ退避するように屈曲した断面形状をなす屈曲部が、前記切欠部に沿うように形成され、
前記雌側コネクタハウジングの外面に、前記屈曲部と対応する凹部が形成されており、
前記雌側コネクタハウジングが、前記凹部と前記屈曲部との嵌合によって案内されつつ
、前記ムービングプレートの周壁内に収容される構成としたことを特徴とするレバー式コネクタ。
【請求項２】
フード部を有する雄側コネクタハウジングと、この雄側コネクタハウジングの外面に軸支されるレバーと、前記フード部内において雄端子金具を位置決めするムービングプレートと、前記フード部に嵌合される雌側コネクタハウジングとを備えてなり、
前記ムービングプレートの周壁のカムピンと、前記周壁の切欠部を通過させた前記雌側コネクタハウジングのカムピンとを合体させることでカムフォロアを形成し、
前記フード部の逃がし溝を通過させた前記カムフォロアを前記レバーのカム溝に係合させた状態で前記レバーを回動させることにより、前記雌側コネクタハウジングが前記ムービングプレートと一体になって移動しつつ前記雄側コネクタハウジングに嵌合されるようになっており、
前記フード部の内面に、前記逃がし溝に沿って前記ムービングプレートの移動方向と平行に延びるリブが形成されているとともに、
前記ムービングプレートの周壁に、前記リブに沿って延び且つ前記リブに対応して内側へ退避するように屈曲した断面形状をなす屈曲部が、前記切欠部に沿うように形成されているレバー式コネクタにおいて、
前記リブと前記屈曲部が複数ずつ形成されており、
前記リブの厚さ寸法と前記フード部の内面からの突出寸法のうち少なくともいずれか一方の寸法が、前記複数のリブの相互間で互いに異なる寸法に設定されているとともに、
前記屈曲部における前記リブが収容される収容部の幅寸法と深さ寸法が、その収容部に収容されるべき前記リブの厚さ寸法及び突出寸法と対応するように、各収容部毎に個々に設定されていることを特徴とするレバー式コネクタ。
【発明の詳細な説明】
【０００１】
【発明の属する技術分野】
本発明は、ムービングプレートを備えたレバー式コネクタに関する。
【０００２】
【従来の技術】
ムービングプレートを備えたレバー式コネクタとして、従来、特開平１１−６７３３７号に開示されているものがある。これは、図９〜図１１に示すように、フード部１０２を有する雄側コネクタハウジング１０１と、雄側コネクタハウジング１０１の外面に軸支されるレバー１０３と、フード部１０２内において雄端子金具を貫通させることにより位置決めするムービングプレート１０４と、フード部１０２に嵌合される雌側コネクタハウジング１０５とからなる。フード部１０２に浅く嵌合した雌側コネクタハウジング１０５のカムピン１０６とフード部１０２内に収容されているムービングプレート１０４の周壁１０７のカムピン１０８とをレバー１０３のカム溝１０９に係合させた状態でレバー１０３を回動させると、雌側コネクタハウジング１０５がムービングプレート１０４と一体になって移動しつつ雄側コネクタハウジング１０１に嵌合される。
【０００３】
【発明が解決しようとする課題】
上記のレバー式コネクタでは、雌側コネクタハウジング１０５のカムピン１０６をムービングプレート１０４のカムピン１０８に合体させて１つのカムフォロア１１０とした状態でカム溝１０９に係合させるようにしていることから、ムービングプレート１０４の周壁１０７には、雌側コネクタハウジング１０５のカムピン１０６を通過させるための切欠部１１１が形成されているが、ムービングプレート１０４の周壁１０７の一部はこの切欠部１１１によって半割り状になるためその強度低下が懸念される。また、フード部１０２には、上記カムフォロア１１０（２つのカムピン１０６，１０８）を通過させるための逃がし溝１１２が形成されているが、フード部１０２の一部はこの逃がし溝１１２によって半割り状になるためその強度低下も懸念される。
【０００４】
本願発明は上記事情に鑑みて創案され、ムービングプレートの周壁とフード部の双方の強度低下を防止することを目的としている。
【０００５】
【課題を解決するための手段】
請求項１の発明は、フード部を有する雄側コネクタハウジングと、この雄側コネクタハウジングの外面に軸支されるレバーと、前記フード部内において雄端子金具を位置決めするムービングプレートと、前記フード部に嵌合される雌側コネクタハウジングとを備えてなり、前記ムービングプレートの周壁のカムピンと、前記周壁の切欠部を通過させた前記雌側コネクタハウジングのカムピンとを合体させてカムフォロアを形成し、前記フード部の逃がし溝を通過させた前記カムフォロアを前記レバーのカム溝に係合させた状態で前記レバーを回動させることにより、前記雌側コネクタハウジングが前記ムービングプレートと一体になって移動しつつ前記雄側コネクタハウジングに嵌合されるようにしたレバー式コネクタにおいて、前記フード部の内面に、前記逃がし溝に沿って前記ムービングプレートの移動方向と平行に延びるリブが形成されているとともに、前記ムービングプレートの周壁に、前記リブに沿って延び且つ前記リブに対応して内側へ退避するように屈曲した断面形状をなす屈曲部が、前記切欠部に沿うように形成され、前記雌側コネクタハウジングの外面に、前記屈曲部と対応する凹部が形成されており、前記雌側コネクタハウジングが、前記凹部と前記屈曲部との嵌合によって案内されつつ、前記ムービングプレートの周壁内に収容される構成とした。
【０００６】
請求項２の発明は、フード部を有する雄側コネクタハウジングと、この雄側コネクタハウジングの外面に軸支されるレバーと、前記フード部内において雄端子金具を位置決めするムービングプレートと、前記フード部に嵌合される雌側コネクタハウジングとを備えてなり、前記ムービングプレートの周壁のカムピンと、前記周壁の切欠部を通過させた前記雌側コネクタハウジングのカムピンとを合体させることでカムフォロアを形成し、前記フード部の逃がし溝を通過させた前記カムフォロアを前記レバーのカム溝に係合させた状態で前記レバーを回動させることにより、前記雌側コネクタハウジングが前記ムービングプレートと一体になって移動しつつ前記雄側コネクタハウジングに嵌合されるようになっており、前記フード部の内面に、前記逃がし溝に沿って前記ムービングプレートの移動方向と平行に延びるリブが形成されているとともに、前記ムービングプレートの周壁に、前記リブに沿って延び且つ前記リブに対応して内側へ退避するように屈曲した断面形状をなす屈曲部が、前記切欠部に沿うように形成されているレバー式コネクタにおいて、前記リブと前記屈曲部が複数ずつ形成されており、前記リブの厚さ寸法と前記フード部の内面からの突出寸法のうち少なくともいずれか一方の寸法が、前記複数のリブの相互間で互いに異なる寸法に設定されているとともに、前記屈曲部における前記リブが収容される収容部の幅寸法と深さ寸法が、その収容部に収容されるべき前記リブの厚さ寸法及び突出寸法と対応するように、各収容部毎に個々に設定されている構成とした。
【０００７】
【発明の作用及び効果】
［請求項１の発明］
フード部には逃がし溝に沿ったリブが形成されているので、逃がし溝が形成されていることに起因する強度低下が回避されている。また、ムービングプレートの周壁には切欠部に沿った屈曲部が形成されているので、切欠部が形成されていることに起因する強度低下が回避されている。
［請求項２の発明］
ムービングプレートがフード部に対して正規の向きとなっているときには、全てのリブが所定の収容部に収容されるので、ムービングプレートはフード部内に組み付けることができる。これに対し、ムービングプレートの向きが不正である場合には、いすれかのリブが屈曲部と干渉してその収容部に収容されなくなるので、ムービングプレートをフード部に組み付けることはできない。このように、本発明では、リブと屈曲部を利用し、ムービングプレートの不正な向きでのフード部への組付けが防止されるようになっている。
【０００８】
【発明の実施の形態】
［実施形態１］
以下、本発明を具体化した実施形態１を図１乃至図７を参照して説明する。
本実施形態のレバー式コネクタは、雄側コネクタハウジング１０と、レバー２０と、ムービングプレート３０と、雌側コネクタハウジング４０とを備えて構成される。
雄側コネクタハウジング１０は、前方に突出する角筒状のフード部１１を有し、そのフード部１１内には雄タブ１２が収容されている。雄側コネクタハウジング１０の左右両外側面には、一対の軸部１３が突出形成され、フード部１１には、その前端縁から軸部１３に向かって前後方向に直線状に切欠された左右一対の逃がし溝１４が形成されている。この逃がし溝１４は、両コネクタハウジング１０，４０の嵌合方向と平行であって、カムフォロア４２をフード部１１の内側から外側へ通過させるために形成されている。
【０００９】
軸部１３には、操作部２１の両端から一対の板状のアーム部２２を突成してなるレバー２０が、そのアーム部２２の軸受孔２３を嵌合させることにより、待受け位置と嵌合位置との間での回動を可能に支持されている。アーム部２２の内面にはカム溝２４が形成され、レバー２０が図１に示す待受け位置にある状態では、カム溝２４の入り口が、カムフォロア４２を進入させるために前方へ開口されるようになっている。
【００１０】
ムービングプレート３０は、その位置決め孔３１に雄タブ１２を貫通させることにより、フード部１１内において雄タブ１２を位置決めするためのものである。ムービングプレート３０には、その全周に亘って周壁３２が形成されており、ムービングプレート３０はその周壁３２をフード部１１の内面に摺接させつつ前後方向に、即ち両コネクタハウジング１０，４０の嵌合方向と平行に移動する。ムービングプレート３０の周壁３２の外面には一対のカムピン３３が突出形成されている。このカムピン３３は、前方に開口する嵌合凹部３４を有し、その嵌合凹部３４内には雌側コネクタハウジング４０のカムピン４１が嵌合される。また、周壁３２には、その前端縁からカムピン３３に向かって切欠された左右一対の切欠部３５が、フード部１１の逃がし溝１４と対応するように形成されている。この切欠部３５は、周壁３２に内嵌された雌側コネクタハウジング４０のカムピン４１を周壁３２の外側へ通過させるために形成されている。
【００１１】
雌側コネクタハウジング４０は、内部に雌端子金具（図示せず）を収容するとともに、左右両側面に一対のカムピン４１を突出形成したものである。かかる雌側コネクタハウジング４０は、その前端部分をムービングプレート３０の周壁３２に内嵌させるようになっている。
両コネクタハウジング１０，４０を嵌合する際には、予めフード部１１内の前端部位置にムービングプレート３０を嵌合して雄タブ１２の先端部を位置決めする状態にしておく（図１及び図６を参照）。この状態では、フード部１１の逃がし溝１４とムービングプレート３０の切欠部３５とが対応している。また、レバー２０は、待受け位置に待機させ、カム溝２４の入り口を前方に開口させるとともに逃がし溝１４及び切欠部３５と対応させておく。
【００１２】
この状態で雌側コネクタハウジング４０をムービングプレート３０の周壁３２内に嵌合させると、雌側コネクタハウジング４０のカムピン４１が逃がし溝１４及び切欠部３５を通過してムービングプレート３０のカムピン３３の嵌合凹部３４内に嵌入される。これにより、両カムピン３３，４１が合体状態となってカムフォロア４２が構成されるとともに、このカムフォロア４２がレバー２０のカム溝２４の入り口に進入した状態となる。
【００１３】
かかる状態からレバー２０を回動操作すると、カムフォロア４２とカム溝２４の係合によるテコ作用により、レバー２０に付与する操作力が小さくても、両コネクタハウジング１０，４０が円滑に嵌合状態となる。また、このとき、雌側コネクタハウジング４０とムービングプレート３０とが一体となって移動する。
上述したように本実施形態のレバー式コネクタは、雌側コネクタハウジング４０のカムピン４１をムービングプレート３０のカムピン３３に合体させて１つのカムフォロア４２とした状態でカム溝２４に係合させるようにしていることから、ムービングプレート３０の周壁３２には、雌側コネクタハウジング４０のカムピン４１を通過させるための左右一対の切欠部３５が形成されているが、これによりムービングプレート３０の周壁３２の前端部は切欠部３５によって半割り状になるためその強度低下が懸念される。また、フード部１１には、上記カムフォロア４２（２つのカムピン３３，４１）を通過させるための左右一対の逃がし溝１４が形成されているが、これによりフード部１１の略前半部分は逃がし溝１４によって半割り状になるため、フード部１１の強度低下も懸念される。
【００１４】
そこで、本実施形態では下記のようなフード部１１と周壁３２の強度低下防止対策が講じられている。
フード部１１の内面には、各逃がし溝１４の上下両側縁に沿って前後方向（ムービングプレート３０の移動方向と平行）に延びるリブ１５Ａ，１５Ｂが形成されている。このリブ１５Ａ，１５Ｂの形成領域は、フード部１１の前端近くからフード部１１の奥端までとされている。また、逃がし溝１４の上縁に沿ったリブ１５Ａの厚さ寸法は、下縁に沿ったリブ１５Ｂの厚さ寸法よりも大きく設定されている。但し、上下いずれのリブ１５Ａ，１５Ｂもフード部１１の内側面からの突出寸法は同じ寸法とされている。
【００１５】
また、ムービングプレート３０の周壁３２には、上記リブ１５Ａ，１５Ｂに沿って前後方向に延び且つリブ１５Ａ，１５Ｂに対応して内側へ退避するように略Ｕ字形に屈曲した断面形状をなす屈曲部３６Ａ，３６Ｂが、各切欠部３５の上下両側縁に沿うように形成されている。屈曲部３６Ａ，３６Ｂは、前後方向において周壁３２の全長に亘って（周壁３２の前端面及び後端面に開口するように）形成されており、周壁３２の外側に臨む溝状の部分はリブ１５Ａ，１５Ｂを嵌合させるための収容部３７Ａ，３７Ｂとされている。これらの収容部３７Ａ，３７Ｂの高さ寸法は、その収容部３７Ａ，３７Ｂに嵌合されるべきリブ１５Ａ，１５Ｂの厚さ寸法よりも僅かに大きい寸法とされている。即ち、切欠部３５の上縁に沿った収容部３７Ａの高さ寸法は、切欠部３５の下縁に沿った収容部３７Ｂの高さ寸法よりも大きく設定されている。尚、収容部３７Ａ，３７Ｂの深さ寸法、即ち周壁３２の外側面から収容部３７Ａ，３７Ｂの奥端側面までの寸法は、フード部１１の内面からのリブ１５Ａ，１５Ｂの突出寸法よりも僅かに大きい寸法であって、全ての収容部３７Ａ，３７Ｂにおいて同じ寸法とされている。
【００１６】
上記のように本実施形態においては、フード部１１には逃がし溝１４に沿ったリブ１５Ａ，１５Ｂが形成されているので、逃がし溝１４が形成されていることに起因するフード部１１の強度低下が回避されているとともに、ムービングプレート３０の周壁３２には切欠部３５に沿った屈曲部３６Ａ，３６Ｂが形成されているので、切欠部３５が形成されていることに起因する強度低下が回避されている。これにより、フード部１１や周壁３２が反るように変形して互いに強く擦れ合い、その結果、両コネクタハウジング１０，４０の円滑な嵌合に支承を来たす、ということが回避される。
【００１７】
また、ムービングプレート３０をフード部１１に組み付ける際に、ムービングプレート３０がフード部１１に対して正規の向きとなっているときには、全てのリブ１５Ａ，１５Ｂが所定の（正規の組み合わせの）収容部３７Ａ，３７Ｂに収容されるので、ムービングプレート３０はフード部１１内に組み付けることができる。これに対し、ムービングプレート３０が上下反転した不正な向きとなっている場合には、厚さ寸法の大きい上側のリブ１５Ａが、収容部３７Ｂの高さ寸法の小さい下縁側の屈曲部３６Ｂの前端に突き当たってその収容部３７Ｂ内に収容されなくなるため、ムービングプレート３０をフード部１１に組み付けることはできない。このように、本実施形態では、リブ１５Ａ，１５Ｂと屈曲部３６Ａ，３６Ｂを利用して、ムービングプレート３０がフード部１１に対して不正な向きで組みつけられることが防止されるようになっている。したがって、不正な向きでの組付けを防止する手段をリブ１５Ａ，１５Ｂ及び屈曲部３６Ａ，３６Ｂとは別個に形成した場合に比べて、フード部１１及びムービングプレート３０の形状が簡素化されている。
【００１８】
［実施形態２］
次に、本発明を具体化した実施形態２を図８を参照して説明する。
本実施形態は、ムービングプレート３０がフード部１１に対して不正な向きで組みつけられることを防止する手段を上記実施形態１とは異なる構成としたものである。その他の構成については上記実施形態１と同じであるため、同じ構成については、同一符号を付し、構造、作用及び効果の説明は省略する。
本実施形態２では、逃がし溝１４の上縁に沿ったリブ５１Ａのフード部１１の内面からの突出寸法は、下縁に沿ったリブ５１Ｂの突出寸法よりも大きく設定されている。但し、上下いずれのリブ５１Ａ，５１Ｂも厚さ寸法は同じ寸法とされている。また、切欠部３５の上縁に沿った屈曲部５２Ａの収容部５３Ａの深さ寸法（周壁３２の外側面から収容部５３Ａ，５３Ｂの奥端側面までの寸法）は、切欠部３５の下縁に沿った収容部５３Ｂの深さ寸法よりも大きく設定されている。尚、収容部５３Ａ，５３Ｂの高さ寸法は全ての収容部において同じ寸法とされている。
【００１９】
ムービングプレート３０を上下反転した不正な向きでフード部１１に組み付けようとしたときには、フード部１１の内面からの突出寸法の大きい上側のリブ５１Ａが、収容部５３Ｂの深さ寸法の小さい下縁側の屈曲部５２Ｂの前端に突き当たってその収容部５３Ｂ内に収容されなくなるため、ムービングプレート３０をフード部１１に組み付けることはできない。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２０】
（１）上記実施形態ではリブの断面を「Ｉ字形」としたが、本発明によれば、「Ｌ字形」等の他の断面形状としてもよい。
（２）上記実施形態ではリブの厚さ又は突出寸法を変えると共に屈曲部の凹部の厚さ又は深さ寸法を変えることによって、ムービングプレートの誤組を防止するようにしたが、本発明によれば、リブの厚さ及び突出寸法を全て一定にして、誤組防止機能を具備しない構成とすることもできる。
【００２１】
（３）上記実施形態ではムービングプレートの誤組防止手段としてリブの厚さと突出寸法のいずれか一方のみを変えるようにしたが、リブの厚さと突出寸法の両方を変えることによって誤組防止を図るようにしてもよい。
【図面の簡単な説明】
【図１】実施形態１において両コネクタハウジングを分離した状態をあらわす斜視図
【図２】雄側コネクタハウジングの斜視図
【図３】ムービングプレートの斜視図
【図４】レバーの斜視図
【図５】雄側コネクタハウジングにムービングプレートとレバーを組み付けた状態の正面図
【図６】雄側コネクタハウジングにムービングプレートとレバーを組み付けた状態の断面図
【図７】ムービングプレートと雌側コネクタハウジングのカムピン同士を合体させた状態の側面図
【図８】実施形態２において雄側コネクタハウジングにムービングプレートとレバーを組み付けた状態の正面図
【図９】従来例において雄側コネクタハウジングからムービングプレートを外した状態の斜視図
【図１０】従来例において雄側コネクタハウジングから雌側コネクタハウジングを外した状態の一部切欠側面図
【図１１】従来例において雄側コネクタハウジングとムービングプレートのカムピン同士を合体させた状態の一部切欠側面図
【符号の説明】
１０…雄側コネクタハウジング
１１…フード部
１４…逃がし溝
１５Ａ，１５Ｂ…リブ
２０…レバー
２４…カム溝
３０…ムービングプレート
３２…周壁
３３…ムービングプレートのカムピン
３５…切欠部
３６Ａ，３６Ｂ…屈曲部
３７Ａ，３７Ｂ…収容部
４０…雌側コネクタハウジング
４１…雌側コネクタハウジングのカムピン
４２…カムフォロア
５１Ａ，５１Ｂ…リブ
５２Ａ，５２Ｂ…屈曲部
５３Ａ，５３Ｂ…収容部
【図１】
0003601474.tif 000002
【図２】
0003601474.tif 000003
【図３】
0003601474.tif 000004
【図４】
0003601474.tif 000005
【図５】
0003601474.tif 000006
【図６】
0003601474.tif 000007
【図７】
0003601474.tif 000008
【図８】
0003601474.tif 000009
【図９】
0003601474.tif 000010
【図１０】
0003601474.tif 000011
【図１１】
0003601474.tif 000012